(57)【要約】【課題】入れる物が小物類であっても底に埋もれることなく、見いだすことが容易となり、また、その小物類ばかりでなく他の物も出し入れが容易となる持ち物用バックを提供する。【解決手段】ハンドバックやショルダーバック、カバン等の持ち物用バックにおいて、前後両面壁の一方又は両方に、若しくは仕切壁の上端部に、身廻り小物類を着脱可能に取り付け得るように、横長の取付片をその上端部に沿って装着し、その取付片には、身廻り小物類を直接または間接に取り付ける複数の掛止部を横に間をおいて配設したことを特徴とする。【効果】身廻り小物類をバックの口に近い箇所に吊り下げて取り付けて収用できるため、それが小さくても、バックの底に他の内容物で埋もれることなく、見いだすことが容易となり、点検を即座になし得ることはもちろん、バック内に整頓されるために、その小物類ばかりでなく他の物も出し入れが容易となる。【選択図】    図1
2011083366.tif 000002
【特許請求の範囲】
【請求項１】
ハンドバックやショルダーバック、カバン等の持ち物用バックにおいて、前後両面壁の一方又は両方に、若しくは仕切壁の上端部に、身廻り小物類を着脱可能に取り付け得るように、横長の取付片をその上端部に沿って装着し、その取付片には、身廻り小物類を直接または間接に取り付ける複数の掛止部を横に間をおいて配設したことを特徴とする持ち物用バック。
【請求項２】
取付片の掛止部に対して、それに着脱可能に取り付ける係合部を有する連結部片を具備し、その連結部片には身廻り小物類を装着可能に取り付ける孔又はリングを設けてあることを特徴とする請求項１記載の持ち物用バック。
【請求項３】
取付片が上端で縫着して止められた垂れ幕状であって、掛止孔が鳩目を打ち込んでそれで枠組みされてなり、連結部片には、掛止孔に引っ掛けるフックが係合部として形成されていることを特徴とする請求項２記載の持ち物用バック。
【発明の詳細な説明】
【技術分野】
【０００１】
この発明は、ハンドバックやショルダーバック、カバン等の持ち物用バックに関する。
【背景技術】
【０００２】
ハンドバックやショルダーバック等は、天然皮革や合成皮革、厚手布地等で縫製して容器状ないし袋状に形成され、それに手提げや肩掛けのための紐やバンドを取り付けたもので、内部には幾つもの身廻り品等を区別して収納できるように、幅方向の長さの仕切壁で幾つかに区切ったり、側壁に内ポケットや外ポケットを設けたりする構造が一般的にとられる。
【０００３】
また、バック本体が二つの袋を上端で二つ折り状に連結してなる双子形の構造にした手提げバックの提案が見られる（特許文献１）。これによると、複数枚の軟質合成樹脂シートを熱溶着することにより一対の封筒状袋を重ね合わせに形成するとともに、両封筒状袋の上端に手紐取付片を形成したものであった。
【先行技術文献】
【特許文献】
【０００４】
【特許文献１】特開平３−１９７１２５号公報
【発明の概要】
【発明が解決しようとする課題】
【０００５】
上記のような従来の持ち物用バックによると、一般的なハンドバックやショルダーバックの場合、内部に数多くの物を入れて使用されるが、よく使用する頻度の高い物や、決して忘れてはならない必携の物が、比較的そうでない物と区別なく納められることによって、外出するに当たって点検しがたく、持ち忘れがちとなり、また、携帯していてもそれが特に小物であるときには底や隅っこにあって見いだすのに苦労することがあった。
【０００６】
仕切壁やポケットはこのような不都合を解消するためのものであるが、内部が狭く区切られるために点検する手間がかかるばかりでなく、内容物で窮屈になり内部の見通しがきかなく、そのため目的の物を手さぐりで探し当てる必要があった。また、特許文献１に記載のものでは、両袋口が手紐で封じられる構造であるため、物の出し入れが困難であり極めて不都合であった。
【０００７】
この発明は、上記のような実情に鑑みて、入れる物が小物類であっても底に埋もれることなく、見いだすことが容易となり、また、その小物類ばかりでなく他の物も出し入れが容易となる持ち物用バックを提供することを課題とした。
【課題を解決するための手段】
【０００８】
上記の課題を解決するために、この発明は、ハンドバックやショルダーバック、カバン等の持ち物用バックにおいて、前後両面壁の一方又は両方に、若しくは仕切壁の上端部に、身廻り小物類を着脱可能に取り付け得るように、横長の取付片をその上端部に沿って装着し、その取付片には、身廻り小物類を直接または間接に取り付ける複数の掛止部を横に間をおいて配設したことを特徴とする持ち物用バックを提供する。
【０００９】
持ち物用バックを上記のように構成したから、これに普通に物を入れて使用できるが、その他に、取付片に配設される掛止部に身廻り小物類を取り付け、必要により取り出して使用することができる。
【発明の効果】
【００１０】
以上説明したように、この発明の持ち物用バックによれば、身廻り小物類をバックの口に近い箇所に吊り下げて取り付けて収用できるため、それが小さくても、バックの底に他の内容物で埋もれることなく、見いだすことが容易となり、点検を即座になし得ることはもちろん、バック内に整頓されるために、その小物類ばかりでなく他の物も出し入れが容易となるという優れた効果がある。
【００１１】
加えて、請求項２および請求項３によれば、上記効果が顕著に表れる。
【図面の簡単な説明】
【００１２】
【図１】この発明をハンドバックに実施した一例を第１実施例として示す一部切欠した斜視図である。
【図２】同持ち物用バックにおける取付片を示す正面図である。
【図３】図２のＡ−Ａ線矢視において連結部片の結合要領を示す断面図である。
【図４】第２実施例を示す図３に対応する断面図である。
【図５】第３実施例を示す図３に対応する断面図である
【図６】第４実施例を示すショルダーバックの一部切欠した斜視図である。
【発明を実施するための形態】
【００１３】
この発明において、取付片１７には厚手の布ばかりでなく、プラスチックシートや板等を有効に使用できる。それをバックの面壁５に取り付けるには、縫着ばかりでなく、粘着剤等で接着する手段も取ることができる。また、全面接着ばかりでなく、上端で止めて垂れ幕状に取り付ける。
【００１４】
身廻り小物類１８を取り付ける掛止部は、その構造は様々となるものであって、できるだけワンタッチで取付け取外しができることが望ましく、後記実施例では、掛止部として掛止孔２７を設けたり、磁石５１，５２を使用したりしたが、これらに限られないことはいうまでもない。
【実施例１】
【００１５】
図１はバック本体１に手提げ紐３，３を取り付けたハンドバックＰａに実施した例を示したもので、バック本体１は、前後両面壁５，５の間に左右側壁６，６、底壁および上壁９を有し、上壁９には幅中央に沿って裂け目状に口１１が形成され、これにスライドファスナー１３が装着される。そして、このバック本体１の内側には、一方の面壁５の上端部に取付片１７が装着され、それに身廻り小物類１８を着脱可能に取り付け得るように構成される。
【００１６】
バック本体１は、この場合、柔軟な合成皮革製であって、前後両面壁５，５には、比較的剛性を有する芯材１９が内装され、それが合成皮革２１と内布２３との間に挟まれている。したがって、取付片１７は、その上端を内布２３から芯材１９に縫着されており、縫着部２５から垂れ幕状に下がっている。なお、この部分は、上壁９の裂け口１１から外れており、常時上壁９の下に覆われる位置であるために、バックに普通に物を出し入れするにはその障害にはならない。
【００１７】
取付片１７は、厚手の布地を横長の帯状に形成してその下端が波形に縁取られ、波形の突出する位置に掛止部としての掛止孔２７，２７，・・を配設し、各掛止孔２７は、リング状の鳩目２９を打ち込み加締めることにより形成される。そして、各掛止孔２７，２７，・・に対して付属して身廻り小物類１８の連結部片３１が装備される。
【００１８】
連結部片３１は、取付片１７に接合させる面当て３３に掛止孔２７に掛け止めるフック３５を突設してあって、面当て３３の下端部に吊り紐３７やリング３９等の通し孔３４が設けられている。図１においては、吊り紐３７によりお守り４１やお香袋４２が、リング３９によってキー４３が取り付けられる場合を示している。
【実施例２】
【００１９】
図４は、取付片１７に身廻り小物類を取り付ける他の実施例を示したもので、この場合は、取付片１７に掛止孔２７を設けるのであるが、裏側にはプラスチック磁石５１が張り付けてあって、その磁石５１に掛止孔２７の枠となるリング５３が接着され、それが取付片１７に開けた孔に嵌まっている。また、連結部片３１は、取付片１７に対する面当て５５に、掛止孔２７に嵌まって磁石５１に吸着される軟鉄の被吸着盤５７が突設される。
【実施例３】
【００２０】
図５は、取付片１７に掛止部として磁石５２を突設し、連結部片３１にはそれに覆い嵌まる金属製の被吸着盤が使用される。なお、図４および図５において、６３は、身廻り小物類の吊り紐またはリングを掛ける取付リング６３である。
【実施例４】
【００２１】
図６は、バック本体１に肩掛けバンド４を取り付けたショルダーバックＰｂに実施した例を示したものある。バック本体１には仕切壁１０が内装されており、前記実施例の場合と同じように、一方の面壁５に取付片が設けられるが（図示省略）、その他に仕切壁１０の上端部にも取付片１７が装着され、取付片１７にはそれぞれ鳩目２９で掛止孔２７が配列される。
【符号の説明】
【００２２】
Ｐａ  持ち物用バックとしてのハンドバック
Ｐｂ  持ち物用バックとしてのショルダーバック
５  面壁
１０  仕切壁  
１７  取付片
１８  身廻り小物類
２７  掛止部としての掛止孔
２９  鳩目
３１  連結部片
３４  孔
４３，６３  リング
３５  係合部としてのフック
５１，５２  掛止部を構成する磁石
５７，５８  係合部としての被吸着盤
【図１】
2011083366.tif 000003
【図２】
2011083366.tif 000004
【図３】
2011083366.tif 000005
【図４】
2011083366.tif 000006
【図５】
2011083366.tif 000007
【図６】
2011083366.tif 000008